(57)【要約】【課題】パケットの欠落を防止可能なパケット伝送方法を得ること。【解決手段】本発明のパケット伝送方法は、誤り制御技術として自動再送要求（ＡＲＱ：Automatic Repeat Request）を採用し、たとえば、パケット送信側通信装置のＡＣＫ／ＮＡＣＫ判定部２が、受信信号の復調結果として得られる軟判定値から「ＡＣＫ」または「ＮＡＣＫ」を示すＨＡＲＱ−ＡＣＫ情報を抽出し、当該ＨＡＲＱ−ＡＣＫ情報を示す全シンボルの軟判定値を合成する軟判定値合成ステップと、前記軟判定値の合成結果と、前記ＨＡＲＱ−ＡＣＫ情報を判定するための所定のしきい値と、を比較し、前記軟判定値の合成結果が前記しきい値以下（または未満）の場合、前記ＨＡＲＱ−ＡＣＫ情報を「ＮＡＣＫ」と判定し、前記軟判定値の合成結果が前記しきい値より大きい（または以上）場合、前記ＨＡＲＱ−ＡＣＫ情報を「ＡＣＫ」と判定する判定ステップと、を実行可能な構成とした。【選択図】        図１
2005051713.tif 000002
【特許請求の範囲】
【請求項１】
誤り制御技術として自動再送要求（ＡＲＱ：Automatic Repeat Request）を採用する場合のパケット伝送方法において、
パケット送信側の通信装置が、
受信信号の復調結果として得られる軟判定値から「ＡＣＫ」または「ＮＡＣＫ」を示す応答情報を抽出し、当該応答情報を示す全シンボルの軟判定値を合成する軟判定値合成ステップと、
前記軟判定値の合成結果と、前記応答情報を判定するための所定のしきい値と、を比較し、前記軟判定値の合成結果が前記しきい値以下（または未満）の場合、前記応答情報を「ＮＡＣＫ」と判定し、前記軟判定値の合成結果が前記しきい値より大きい（または以上）場合、前記応答情報を「ＡＣＫ」と判定する判定ステップと、
を含むことを特徴とするパケット伝送方法。
【請求項２】
前記所定のしきい値を、外部から設定することを特徴とする請求項１に記載のパケット伝送方法。
【請求項３】
受信信号の復調結果のシンボル毎の符号を用いて前記応答情報を判定することにより通信状態を推定し、当該通信状態が良好な場合は、前記軟判定値の合成結果が低い場合であっても「ＡＣＫ」と判定することができるように、前記所定のしきい値を決定することを特徴とする請求項１に記載のパケット伝送方法。
【請求項４】
受信信号の復調結果に基づいて雑音の影響を算出し、雑音の影響が大きい場合のしきい値が、雑音の影響が小さい場合のしきい値よりも高くなるように、前記所定のしきい値を決定することを特徴とする請求項１に記載のパケット伝送方法。
【請求項５】
制御チャネルのＳＩＲ値に基づいて、前記雑音の影響を反映した所定のしきい値を決定することを特徴とする請求項４に記載のパケット伝送方法。
【請求項６】
制御チャネルのＰｈＣＨ−ＢＥＲに基づいて、前記雑音の影響を反映した所定のしきい値を決定することを特徴とする請求項４に記載のパケット伝送方法。
【請求項７】
制御チャネルのパスサーチの相関電力に基づいて、前記雑音の影響を反映した所定のしきい値を決定することを特徴とする請求項４に記載のパケット伝送方法。
【請求項８】
パケット受信側の通信装置が、
前記パケット送信側の通信装置から送信データとともに送信される「ＡＣＫ／ＮＡＣＫ」情報と、１つ前のパケット送信に対して返信した応答情報と、を比較し、それらが一致しない場合、以降の応答情報の送信電力を一定レベル増加させることを特徴とする請求項１〜７のいずれか一つに記載のパケット伝送方法。
【請求項９】
一定期間にわたって前記比較結果が一致した場合には、前記応答情報の送信電力を所定量だけ下げることを特徴とする請求項８に記載のパケット伝送方法。
【請求項１０】
誤り制御技術として自動再送要求（ＡＲＱ：Automatic Repeat Request）を採用するパケット送信側の通信装置において、
受信信号の復調結果として得られる軟判定値から「ＡＣＫ」または「ＮＡＣＫ」を示す応答情報を抽出し、当該応答情報を示す全シンボルの軟判定値を合成し、さらに、当該軟判定値の合成結果と、前記応答情報を判定するための所定のしきい値と、を比較し、前記軟判定値の合成結果が前記しきい値以下（または未満）の場合に、前記応答情報を「ＮＡＣＫ」と判定し、前記軟判定値の合成結果が前記しきい値より大きい（または以上）場合に、前記応答情報を「ＡＣＫ」と判定するＡＣＫ／ＮＡＣＫ判定手段、
を備えることを特徴とする通信装置。
【請求項１１】
前記ＡＣＫ／ＮＡＣＫ判定手段は、前記所定のしきい値を外部から設定可能とすることを特徴とする請求項１０に記載の通信装置。
【請求項１２】
前記ＡＣＫ／ＮＡＣＫ判定手段は、受信信号の復調結果のシンボル毎の符号を用いて前記応答情報を判定することにより通信状態を推定し、当該通信状態が良好な場合は、前記軟判定値の合成結果が低い場合であっても「ＡＣＫ」と判定することができるように、前記所定のしきい値を決定することを特徴とする請求項１０に記載の通信装置。
【請求項１３】
前記ＡＣＫ／ＮＡＣＫ判定手段は、受信信号の復調結果に基づいて雑音の影響を算出し、雑音の影響が大きい場合のしきい値が、雑音の影響が小さい場合のしきい値よりも高くなるように、前記所定のしきい値を決定することを特徴とする請求項１０に記載の通信装置。
【請求項１４】
前記ＡＣＫ／ＮＡＣＫ判定手段は、制御チャネルのＳＩＲ値に基づいて、前記雑音の影響を反映した所定のしきい値を決定することを特徴とする請求項１３に記載の通信装置。
【請求項１５】
前記ＡＣＫ／ＮＡＣＫ判定手段は、制御チャネルのＰｈＣＨ−ＢＥＲに基づいて、前記雑音の影響を反映した所定のしきい値を決定することを特徴とする請求項１３に記載の通信装置。
【請求項１６】
前記ＡＣＫ／ＮＡＣＫ判定手段は、制御チャネルのパスサーチの相関電力に基づいて、前記雑音の影響を反映した所定のしきい値を決定することを特徴とする請求項１３に記載の通信装置。
【請求項１７】
誤り制御技術として自動再送要求（ＡＲＱ：Automatic Repeat Request）を採用するパケット受信側の通信装置において、
前記パケット送信側の通信装置から送信データとともに送信される「ＡＣＫ／ＮＡＣＫ」情報と、１つ前のパケット送信に対して返信した応答情報と、を比較し、それらが一致しない場合に、以降の応答情報の送信電力を一定レベル増加させる送信制御手段、
を備えることを特徴とする通信装置。
【請求項１８】
前記送信制御手段は、一定期間にわたって前記比較結果が一致した場合に、前記応答情報の送信電力を所定量だけ下げることを特徴とする請求項１７に記載の通信装置。
【発明の詳細な説明】
【技術分野】
【０００１】
本発明は、誤り制御技術として自動再送要求（ＡＲＱ：Automatic Repeat Request）を採用する無線通信システムにおけるパケット伝送方法に関するものである。
【背景技術】
【０００２】
以下、従来のパケット伝送方法について説明する。３ＧＰＰ（3rd Generation Partnership Project）においては、下り高速無線通信技術としてＨＳＤＰＡ（High Speed Downlink Packet Access）が規格で定められている。このＨＳＤＰＡでは、上り無線チャネルとしては、端末側からのＡＣＫ／ＮＡＣＫ情報，通信品質の情報（ＣＱＩ：Channel Quality Indicator）を伝送するためのチャネルとしてＨＳ−ＤＰＣＣＨ（High Speed - Dedicated Physical Control Channel）が規定されており、たとえば、基地局から端末局へのダウンリンク伝送において端末局が正しくパケットを受信できなかった場合、端末局が基地局に対して再送要求（ＮＡＣＫ）を行うことによって、通信の信頼性を高めている。また、下り無線チャネルとしては、データを伝送するためのチャネルとしてＨＳ−ＰＤＳＣＨ（High Speed - Physical Downlink Shared Channel）が規定されており、また、データ伝送を制御するためのチャネルとしてＨＳ−ＳＣＣＨ（High Speed - Shared Control Channel）が規定されている（下記非特許文献１参照）。
【０００３】
ここで、上記従来のパケット伝送方法を採用する無線通信システム（基地局，端末局）の動作について説明する。まず、基地局からＨＳ−ＰＤＳＣＨ上に送信された信号を受け取った端末局では、受信信号を復調後、データとともに送信される誤り検出符号により誤り検出を行う。そして、受信データに誤りがない場合には、ＨＳ−ＤＰＣＣＨを使用してＡＣＫ信号を基地局に対して送信し、次データの送信を要求する。一方、受信データに誤りがある場合、端末局では、ＨＳ−ＤＰＣＣＨを使用してＮＡＣＫ信号を基地局に対して送信し、データの再送を要求する。なお、ＨＳ−ＤＰＣＣＨの送信電力は、送信する信号（ＡＣＫ信号，ＮＡＣＫ信号）によって決定される。
【０００４】
基地局では、受信したＨＳ−ＤＰＣＣＨ上の信号を復調し、ＡＣＫ／ＮＡＣＫ信号を合成する。合成したＡＣＫ／ＮＡＣＫ信号の軟判定値の正負によりＡＣＫまたはＮＡＣＫを判断し、たとえば、ＡＣＫを受信した場合は、ＨＳ−ＰＤＳＣＨにより次データを送信し、ＮＡＣＫを受信した場合は、ＨＳ−ＰＤＳＣＨによりデータを再送する。そして、送信するデータが次データか再送データかを示すために、受信したＡＣＫ／ＮＡＣＫ情報をＨＳ−ＳＣＣＨで送信する。
【０００５】
また、端末局から送信されるＨＳ−ＤＰＣＣＨ信号の送信電力については、送信するＨＡＲＱ−ＡＣＫ信号に対応したΔＡＣＫまたはΔＮＡＣＫがＨＳ−ＤＰＣＣＨ送信電力増加量ΔＨＳ−ＤＰＣＣＨとして設定される。なお、ΔＡＣＫ，ΔＮＡＣＫは上位レイヤより設定される。
【０００６】
【非特許文献１】３ＧＰＰ規格TS25.211 v5.1.0
【発明の開示】
【発明が解決しようとする課題】
【０００７】
しかしながら、上記従来のパケット伝送方法においては、パケット受信側が再送を要求するためにＮＡＣＫ信号を送信した場合であっても、たとえば、無線通信路におけるフェージング等により誤りが発生し、パケット送信側で受信したＮＡＣＫ信号を誤って判定してしまうことがある。すなわち、ＮＡＣＫ信号が誤ってＡＣＫ信号と判定され、本来再送されるべきデータが送信されずに、次データが送信されてしまうことがある。そのため、パケット受信側において、データの欠落が発生する、という問題があった。また、再送データが送られてこないので、データの送信回数が増え、他通信への干渉が増加する、という問題もあった。
【０００８】
本発明は、上記に鑑みてなされたものであって、フェージング等が発生し、無線通信路の状態が劣化した場合であっても、パケットの欠落を防止可能なパケット伝送方法を得ることを目的とする。
【課題を解決するための手段】
【０００９】
上述した課題を解決し、目的を達成するために、本発明にかかるパケット伝送方法にあっては、誤り制御技術として自動再送要求（ＡＲＱ：Automatic Repeat Request）を採用する場合のパケット伝送方法であって、たとえば、パケット送信側の通信装置が、受信信号の復調結果として得られる軟判定値から「ＡＣＫ」または「ＮＡＣＫ」を示す応答情報を抽出し、当該応答情報を示す全シンボルの軟判定値を合成する軟判定値合成ステップと、前記軟判定値の合成結果と、前記応答情報を判定するための所定のしきい値と、を比較し、前記軟判定値の合成結果が前記しきい値以下（または未満）の場合、前記応答情報を「ＮＡＣＫ」と判定し、前記軟判定値の合成結果が前記しきい値より大きい（または以上）場合、前記応答情報を「ＡＣＫ」と判定する判定ステップと、を含むことを特徴とする。
【００１０】
この発明によれば、復調結果の信頼度（上記軟判定値の合成結果の大きさ）に応じて「ＡＣＫ」か「ＮＡＣＫ」か、を判定することとした。
【発明の効果】
【００１１】
この発明によれば、パケット受信側通信装置が「ＮＡＣＫ」を送信した場合に、パケット送信側通信装置が受信信号を「ＡＣＫ」と判定してしまう誤りを回避できるので、すなわち、再送を要求されたにもかかわらず、再送データではなく次送信データを送信してしまう、という誤動作を回避できるので、たとえば、無線通信路の状態が劣化した場合であっても、パケット受信側通信装置におけるパケットの欠落を防止できる、という効果を奏する。
【発明を実施するための最良の形態】
【００１２】
以下に、本発明にかかるパケット伝送方法および通信装置（基地局，端末局）の実施の形態を図面に基づいて詳細に説明する。なお、この実施の形態によりこの発明が限定されるものではない。
【００１３】
実施の形態１．
図１は、本発明にかかるパケット伝送方法を実現するための実施の形態１のパケット送信側通信装置（基地局）の構成を示す図であり、特に、ＨＳ−ＤＰＣＣＨ上のＡＣＫ／ＮＡＣＫ信号を判定するための構成を示す図である。この通信装置は、受信信号と遅延プロファイル情報から受信信号に多重化されたＨＳ−ＤＰＣＣＨ信号を復調し、復調結果として軟判定値を生成する受信信号復調部１と、受信信号復調部１にて生成される軟判定値からＡＣＫ／ＮＡＣＫ信号（ＡＣＫ信号かＮＡＣＫ信号か）を判定するＡＣＫ／ＮＡＣＫ判定部２と、を備える。
【００１４】
ここで、上記通信装置の動作の概要を説明する。受信信号復調部１では、受信信号と遅延プロファイル情報を受け取り、逆拡散，位相推定，ＲＡＫＥ合成等を行うことによって、ＨＳ−ＤＰＣＣＨ信号の復調結果として軟判定値を生成する。ＡＣＫ／ＮＡＣＫ判定部２では、ＡＣＫ／ＮＡＣＫ判定用しきい値と、上記軟判定値のＨＡＲＱ−ＡＣＫ情報と、を用いて、受け取った信号がＡＣＫ信号かＮＡＣＫ信号かを判定する。そして、その判定結果を再送制御部（図示はしていない）に対して通知する。
【００１５】
つづいて、本実施の形態の特徴であるＡＣＫ／ＮＡＣＫ判定部２の処理を図面に従って詳細に説明する。図２は、ＡＣＫ／ＮＡＣＫ判定部２の処理を示すフローチャートである。
【００１６】
まず、ＡＣＫ／ＮＡＣＫ判定部２では、受信信号復調部１から出力されたＨＳ−ＤＰＣＣＨ信号の軟判定値を、ＨＡＲＱ−ＡＣＫ情報とＣＱＩ情報に分離し、ＨＡＲＱ−ＡＣＫ情報を示す全シンボルの軟判定値を合成する（ステップＳ１）。そして、軟判定値の合成結果（合成後のＨＡＲＱ−ＡＣＫ情報）と、外部より設定されるＡＣＫ／ＮＡＣＫ判定用しきい値と、を比較する（ステップＳ２）。たとえば、ＨＳ−ＤＰＣＣＨ信号のＨＡＲＱ−ＡＣＫ情報は、ＡＣＫ信号が硬判定値：「１」、ＮＡＣＫ信号が硬判定値：「０」で示されるため、上記比較の結果、合成後のＨＡＲＱ−ＡＣＫ情報がＡＣＫ／ＮＡＣＫ判定用しきい値以下（または未満）の場合は、判定結果を「ＮＡＣＫ」とし（ステップＳ３）、合成後のＨＡＲＱ−ＡＣＫ情報がＡＣＫ／ＮＡＣＫ判定用しきい値より大きい（または以上）場合は、判定結果を「ＡＣＫ」とする（ステップＳ４）。
【００１７】
図３は、ＡＣＫ／ＮＡＣＫ判定処理の一例を示す図である。たとえば、従来方式の符号による判定においては、ＨＡＲＱ−ＡＣＫ情報１０２，１０３は「ＮＡＣＫ」と判定され、ＨＡＲＱ−ＡＣＫ情報１０４，１０５は「ＡＣＫ］と判定される。しかしながら、ＨＡＲＱ−ＡＣＫ情報１０２と１０５は信号電力が小さいため、信号に対する信頼度が低く、送信側が送信した信号と、受信側で判定したＡＣＫ／ＮＡＣＫ信号の判定結果と、が異なっている可能性が高いと考えられる。そこで、本実施の形態においては、受信したＨＳ−ＤＰＣＣＨ信号における上記合成後のＨＡＲＱ−ＡＣＫ情報と、ＡＣＫ／ＮＡＣＫ判定用しきい値と、を比較し、たとえば、合成後の信号電力が一定以上のＡＣＫ信号のみを「ＡＣＫ」と判定する。すなわち、ＡＣＫ／ＮＡＣＫ情報１０５のように従来方式では「ＡＣＫ」と判定された信号であっても、本実施の形態では、上記しきい値による判定によって「ＮＡＣＫ」と判定される場合がある。
【００１８】
このように、本実施の形態においては、復調結果の信頼度に応じてＡＣＫ／ＮＡＣＫ信号を判定することとした。これにより、パケット受信側通信装置がＮＡＣＫ信号を送信した場合に、パケット送信側通信装置が受信信号をＡＣＫ信号と判定してしまう誤りを回避できるので、すなわち、再送を要求されたにもかかわらず、再送データではなく次データを送信してしまう、という誤動作を回避できるので、たとえば、無線通信路の状態が劣化した場合であっても、パケット受信側通信装置におけるパケットの欠落を防止できる。
【００１９】
実施の形態２．
前述した実施の形態１では、外部より設定されたＡＣＫ／ＮＡＣＫ判定用しきい値と、ＨＡＲＱ−ＡＣＫ情報の軟判定値の合成結果と、を比較し、その結果に基づいてＡＣＫ／ＮＡＣＫ信号（ＡＣＫ信号かＮＡＣＫ信号か）を判定したが、実施の形態２では、ＨＡＲＱ−ＡＣＫ情報の硬判定値を利用してＡＣＫ／ＮＡＣＫ判定用しきい値を算出し、このしきい値に基づいてＡＣＫ／ＮＡＣＫ信号を判定する。
【００２０】
図４は、本発明にかかるパケット伝送方法を実現するための実施の形態２のパケット送信側通信装置（基地局）の構成を示す図であり、特に、ＨＳ−ＤＰＣＣＨ上のＡＣＫ／ＮＡＣＫ信号を判定するための構成を示す図である。この通信装置は、実施の形態１と同様のＨＳ−ＤＰＣＣＨ信号の復調結果である軟判定値に加えて、さらに復調結果として硬判定値を出力する受信信号復調部１１と、当該硬判定値に基づいて、たとえば、通信状態の目安となるＡＣＫシンボル数を算出するＡＣＫシンボル数算出部１２と、当該ＡＣＫシンボル数に基づいてＡＣＫ／ＮＡＣＫ判定用しきい値を生成するＡＣＫ／ＮＡＣＫ判定しきい値算出部１３と、を備える。なお、先に説明した実施の形態１と同様の構成については、同一の符号を付してその説明を省略する。
【００２１】
ここで、上記実施の形態２の通信装置の動作について説明する。なお、ここでは、先に説明した実施の形態１と異なる動作についてのみ説明する。
【００２２】
受信信号復調部１１では、ＨＳ−ＤＰＣＣＨ信号の復調結果として軟判定値をＡＣＫ／ＮＡＣＫ判定部２に対して出力し、さらに、復調結果として硬判定値をＡＣＫシンボル数算出部１２に対して出力する。ＡＣＫシンボル数算出部１２では、通信状態の推定処理として、たとえば、受け取った硬判定値からＨＡＲＱ−ＡＣＫ情報とＣＱＩ情報を分離し、ＨＡＲＱ−ＡＣＫ情報を示すシンボル毎の符号によりＡＣＫシンボル数を算出する。そして、ＡＣＫ／ＮＡＣＫ判定しきい値算出部１３では、たとえば、内部メモリに設定された、想定されるＡＣＫシンボル数毎に関連付けられたＡＣＫ／ＮＡＣＫ判定用しきい値に基づいて、上記で算出されたＡＣＫシンボル数に対応するＡＣＫ／ＮＡＣＫ判定用しきい値を検索する。
【００２３】
なお、ＡＣＫシンボル数が多い場合は、ＨＡＲＱ−ＡＣＫ情報を示す全シンボルの軟判定値を合成した値が低い場合であっても「ＡＣＫ」と判定することができるように、ＡＣＫ／ＮＡＣＫ判定用しきい値を低い値（０に近い値）とする。また、ＡＣＫ判定しきい値算出部１３の内部メモリから検索可能なＡＣＫ／ＮＡＣＫ判定用しきい値は、外部からも設定可能とする。
【００２４】
このように、本実施の形態においては、外部から設定されたしきい値に基づいてＡＣＫ／ＮＡＣＫ信号を判定するのではなく、ＨＡＲＱ−ＡＣＫ情報を示す全シンボルの符号によりＡＣＫシンボル数を求め、当該ＡＣＫシンボル数に応じたＡＣＫ／ＮＡＣＫ判定用しきい値を検索し、当該ＡＣＫ／ＮＡＣＫ判定用しきい値に基づいてＡＣＫ／ＮＡＣＫ信号を判定することとした。これにより、ノイズの少ない状態で受信信号の振幅が小さい場合であっても、精度よくＡＣＫ／ＮＡＣＫ信号を判定できる。
【００２５】
実施の形態３．
前述した実施の形態２では、ＡＣＫ／ＮＡＣＫ判定しきい値算出部１３の内部メモリに設定されているＡＣＫ／ＮＡＣＫ判定用しきい値を使用してＡＣＫ／ＮＡＣＫ信号（ＡＣＫ信号かＮＡＣＫ信号か）を判定していたが、実施の形態３では、ＳＮ比に基づいて内部でＡＣＫ／ＮＡＣＫ判定用しきい値を算出する。
【００２６】
図５は、本発明にかかるパケット伝送方法を実現するための実施の形態３のパケット送信側通信装置（基地局）の構成を示す図であり、特に、ＨＳ−ＤＰＣＣＨ上のＡＣＫ／ＮＡＣＫ信号を判定するための構成を示す図である。この通信装置は、受信信号に多重化されたＨＳ−ＤＰＣＣＨ信号を復調するＨＳ−ＤＰＣＣＨ復調部２１と、受信信号に多重化されたＤＰＣＣＨ信号を復調するＤＰＣＣＨ復調部２２と、ＤＰＣＣＨ復調部２２から出力されるＳＩＲ値に基づいてＡＣＫ／ＮＡＣＫ判定用しきい値を算出するＡＣＫ／ＮＡＣＫ判定しきい値算出部２３と、を備える。なお、先に説明した実施の形態１および２と同様の構成については、同一の符号を付してその説明を省略する。
【００２７】
ここで、上記実施の形態３の通信装置の動作について説明する。なお、ここでは、先に説明した実施の形態１および２と異なる動作についてのみ説明する。
【００２８】
ＨＳ−ＤＰＣＣＨ復調部２１では、受信信号を復調し、受信信号に多重化されているＨＳ−ＤＰＣＣＨ信号の復調結果として軟判定値を生成する。また、ＤＰＣＣＨ復調部２２では、ＡＣＫ／ＮＡＣＫ判定しきい値の生成に雑音等の影響を反映するために、復調後のＤＰＣＣＨ信号のＳＩＲ値を算出する。ＡＣＫ／ＮＡＣＫ判定しきい値算出部２３では、ＳＩＲ値が良好な（高い）値の場合、しきい値を低い値（０に近い値）、ＳＩＲが劣悪な（低い）値の場合、しきい値を高い値（０から遠い値）とする。
【００２９】
なお、ここで使用するＳＩＲ値はＳＮ比を示す値であり、ＤＰＣＣＨ信号のＰｈＣＨ ＢＥＲ，サーチ時の相関電力値、と言ったＳＮ比を推定できる他の値を使用してもよい。
【００３０】
このように、本実施の形態においては、外部から設定されたしきい値に基づいてＡＣＫ／ＮＡＣＫ信号を判定するのではなく、ＳＮ比の状態によりＡＣＫ／ＮＡＣＫ判定用しきい値を変更し、当該ＡＣＫ／ＮＡＣＫ判定用しきい値に基づいてＡＣＫ／ＮＡＣＫ信号を判定することとした。これにより、受信信号の振幅が小さい場合であっても、精度よくＡＣＫ／ＮＡＣＫ信号を判定できる。
【００３１】
実施の形態４．
図６は、本発明にかかるパケット伝送方法を実現するための無線通信システム（基地局，端末局）の構成を示す図である。この無線通信システムを構成する基地局は、上り受信信号からＨＳ−ＤＰＣＣＨ信号を復調するＨＳ−ＤＰＣＣＨ復調部３１と、復調したＨＳ−ＤＰＣＣＨ信号からＨＡＲＱ−ＡＣＫ信号を分離し、ＡＣＫ／ＮＡＣＫ信号を判定するＡＣＫ／ＮＡＣＫ判定部３２と、ＡＣＫ／ＮＡＣＫ判定部の判定結果に基づいて送信データ管理，再送管理，再送時のデータ分割等、送信全体を制御する送信制御部３３と、送信データを符号化および変調し、その結果であるＨＳ−ＰＤＳＣＨ信号を出力するＨＳ−ＰＤＳＣＨ送信部３４と、制御情報を符号化および変調し、その結果であるＨＳ−ＳＣＣＨ信号を出力するＨＳ−ＳＣＣＨ送信部３５と、を備える。なお、上記基地局における復調処理および判定処理は、先に説明した実施の形態１〜３の構成を用いて実現することとしてもよい。
【００３２】
また、端末局は、受信信号からＨＳ−ＰＤＳＣＨ信号を復調するＨＳ−ＰＤＳＣＨ復調部４１と、受信信号からＨＳ−ＳＣＣＨ信号を復調するＨＳ−ＳＣＣＨ復調部４２と、ＨＳ−ＰＤＳＣＨ復調部４１およびＨＳ−ＳＣＣＨ復調部４２の出力を復号し、制御情報とデータの分離，データの誤り検出等、受信全体を制御する受信制御部４３と、受信制御部４３による復号結果に基づいてＨＡＲＱ−ＡＣＫ信号を生成するＡＣＫ／ＮＡＣＫ選択部４４と、決定されたＨＡＲＱ−ＡＣＫ信号と受信制御部４３から通知される受信信号の制御情報に基づいて、ＨＡＲＱ−ＡＣＫ信号を含む応答信号に対して変調および送信電力制御を行い、その結果であるＨＳ−ＤＰＣＣＨ信号を出力するＨＳ−ＤＰＣＣＨ送信制御部４５と、を備える。
【００３３】
ここで、上記基地局および端末局の動作を図６および図７を用いて説明する。図７は、基地局と端末局との間でやりとりされる信号を示す図である。
【００３４】
まず、基地局では、ＨＳ−ＤＰＣＣＨ復調部３１が、ＨＳ−ＤＰＣＣＨ信号を復調し、その復調結果からＨＡＲＱ−ＡＣＫ信号を分離し、ＡＣＫ／ＮＡＣＫ判定部３２が、ＡＣＫ／ＮＡＣＫ信号を判定し、その判定結果を送信制御部３３へ通知する。たとえば、ＨＡＲＱ−ＡＣＫ信号が「ＡＣＫ」と判定された場合、送信制御部３３では、次に送るべき送信データを用意する。そして、ＨＳ−ＰＤＳＣＨ送信部３４が、当該送信データを符号化および変調し、その結果であるＨＳ−ＰＤＳＣＨ信号を送信する。また、ＨＳ−ＳＣＣＨ送信部３５が、上記判定結果である「ＡＣＫ」を符号化および変調し、その結果であるＨＳ−ＳＣＣＨ信号を送信する。
【００３５】
一方、上記ＨＡＲＱ−ＡＣＫ信号が「ＮＡＣＫ」と判定された場合、送信制御部３３では、次に送るべき初送データ（再送データ）を用意する。そして、ＨＳ−ＰＤＳＣＨ送信部３４が、当該初送データを符号化および変調し、その結果であるＨＳ−ＰＤＳＣＨ信号を再送する。また、ＨＳ−ＳＣＣＨ送信部３５が、上記判定結果である「ＮＡＣＫ」を符号化および変調し、その結果であるＨＳ−ＳＣＣＨ信号を送信する。
【００３６】
つぎに、端末局では、ＨＳ−ＳＣＣＨ復調部４２が、基地局から送られてくるＨＳ−ＳＣＣＨ信号を復調し、その復調結果に基づいて、ＨＳ−ＰＤＳＣＨ復調部４１が、ＨＳ−ＰＤＳＣＨ信号を復調する。受信制御部４３では、復調後のデータが正常に受信できているかどうかを判定する。そして、ＡＣＫ／ＮＡＣＫ選択部４４では、受信制御部４３の判定結果に基づいて基地局へＡＣＫ／ＮＡＣＫ信号のどちらを送信するかを選択する。その後、ＨＳ−ＤＰＣＣＨ送信制御部４５では、選択されたＡＣＫ／ＮＡＣＫ信号を符号化および変調し、その結果であるＨＳ−ＤＰＣＣＨ信号を基地局へ送信する。このとき、ＨＳ−ＤＰＣＣＨ送信制御部４５では、送信電力制御を行う。具体的には、図７に示すＨＳ−ＳＣＣＨ信号により返信されたＡＣＫ／ＮＡＣＫ返信信号１１２と、過去にＨＳ−ＤＰＣＣＨ送信制御部４５がＨＳ−ＤＰＣＣＨ信号として送信したＨＡＲＱ−ＡＣＫ信号１１１と、を比較し、それらが一致しない場合は、以降のＨＳ−ＤＰＣＣＨ信号の送信電力を一定レベル増加させる。
【００３７】
図８は、ＨＳ−ＤＰＣＣＨ送信制御部４５の詳細構成を示す図であり、ＨＳ−ＤＰＣＣＨ送信部５１と、ＨＡＲＱ−ＡＣＫ記憶部５２と、ＡＣＫ／ＮＡＣＫ比較部５３と、ＨＳ−ＤＰＣＣＨ送信電力制御部５４と、を備える。
【００３８】
ＡＣＫ／ＮＡＣＫ比較部５３では、受信制御部４３から通知されるＡＣＫ／ＮＡＣＫ返信信号１１２と、ＨＡＲＱ−ＡＣＫ記憶部５２に記憶されているＡＣＫ／ＮＡＣＫ返信信号１１２に対応する過去のＨＡＲＱ−ＡＣＫ信号１１１と、を比較し、その比較結果をＨＳ−ＤＰＣＣＨ送信電力制御部５４に通知する。そして、ＨＳ−ＤＰＣＣＨ送信電力制御部５４では、送信すべきＨＳ−ＤＰＣＣＨ信号に対して送信電力制御を行う。なお、ＨＡＲＱ−ＡＣＫ記憶部５２では、ＡＣＫ／ＮＡＣＫ選択部４４にて生成されたＨＡＲＱ−ＡＣＫ信号を保存し、ＡＣＫ／ＮＡＣＫ比較部５３からの要求により出力する。
【００３９】
図９は、ＨＳ−ＤＰＣＣＨ送信電力制御部５４の処理を示すフローチャートである。まず、ＡＣＫ／ＮＡＣＫ選択部４４にて生成されたＨＡＲＱ−ＡＣＫ信号に基づいて（ステップＳ１１）ＨＳ−ＤＰＣＣＨ送信電力増加量：ΔＨＳ−ＤＰＣＣＨを算出する（ステップＳ１２、Ｓ１３）。つぎに、ＡＣＫ／ＮＡＣＫ比較部５３による比較結果が不一致の場合（ステップＳ１４，不一致）、ＨＳ−ＤＰＣＣＨ送信電力加算係数：ＨＳ−ＤＰＣＣＨ＿ｃｏｅｆを、ＨＳ−ＤＰＣＣＨ送信電力補正値：Δｃｏｒｒｅｃｔに加算する（ステップＳ１５）。また、ＡＣＫ／ＮＡＣＫ比較部５３による比較結果が一致する場合には（ステップＳ１４，一致）、ＨＳ−ＤＰＣＣＨ送信電力補正値：Δｃｏｒｒｅｃｔに対する加算を行わない。ただし、一定期間にわたって比較結果が一致した場合には、段階的に、ＨＳ−ＤＰＣＣＨ送信電力補正値：Δｃｏｒｒｅｃｔの値を所定量だけ小さくする。これにより、他のチャネルに対する雑音の影響を低減できる。
【００４０】
つぎに、上記で算出したＨＳ−ＤＰＣＣＨ送信電力補正値：Δｃｏｒｒｅｃｔを上記ΔＨＳ−ＤＰＣＣＨに加算し、ＨＳ−ＤＰＣＣＨ信号の送信電力を算出する（ステップＳ１６）。最後に、ＨＳ−ＤＰＣＣＨ送信部５１では、ＨＳ−ＤＰＣＣＨ送信電力制御部５４で算出された送信電力でＨＳ−ＤＰＣＣＨ信号を送信する。
【００４１】
このように、本実施の形態においては、ＨＳ−ＳＣＣＨ信号により返信されたＡＣＫ／ＮＡＣＫ返信信号によって、端末局が送信したＨＡＲＱ−ＡＣＫ信号が正しく基地局に伝送されているかどうかを判定し、正しく伝送されていない場合には、ＨＡＲＱ−ＡＣＫ信号を含むＨＳ−ＤＰＣＣＨ信号の送信電力を増加させることとした。これにより、以降のＨＡＲＱ−ＡＣＫ信号を基地局にて正しく判定できるので、再送データの欠落を防ぐことができる。
【産業上の利用可能性】
【００４２】
以上のように、本発明にかかるパケット伝送方法は、誤り制御技術としてＡＲＱ（Automatic Repeat Request）を採用する無線通信システムに有用であり、特に、高速無線通信を実現するための無線通信システムおよび通信装置に適している。
【図面の簡単な説明】
【００４３】
【図１】本発明にかかるパケット伝送方法を実現するための実施の形態１のパケット送信側通信装置（基地局）の構成を示す図である。
【図２】ＡＣＫ／ＮＡＣＫ判定部の処理を示すフローチャートである。
【図３】ＡＣＫ／ＮＡＣＫ判定処理の一例を示す図である。
【図４】本発明にかかるパケット伝送方法を実現するための実施の形態２のパケット送信側通信装置（基地局）の構成を示す図である。
【図５】本発明にかかるパケット伝送方法を実現するための実施の形態３のパケット送信側通信装置（基地局）の構成を示す図である。
【図６】本発明にかかるパケット伝送方法を実現するための無線通信システム（基地局，端末局）の構成を示す図である。
【図７】基地局と端末局との間でやりとりされる信号を示す図である。
【図８】ＨＳ−ＤＰＣＣＨ送信制御部の詳細構成を示す図である。
【図９】ＨＳ−ＤＰＣＣＨ送信電力制御部の処理を示すフローチャートである。
【符号の説明】
【００４４】
１  受信信号復調部
２  ＡＣＫ／ＮＡＣＫ判定部
１１  受信信号復調部
１２  ＡＣＫシンボル数算出部
１３  ＡＣＫ／ＮＡＣＫ判定しきい値算出部
２１  ＨＳ−ＤＰＣＣＨ復調部
２２  ＤＰＣＣＨ復調部
２３  ＡＣＫ／ＮＡＣＫ判定しきい値算出部
３１  ＨＳ−ＤＰＣＣＨ復調部
３２  ＡＣＫ／ＮＡＣＫ判定部
３３  送信制御部
３４  ＨＳ−ＰＤＳＣＨ送信部
３５  ＨＳ−ＳＣＣＨ送信部
４１  ＨＳ−ＰＤＳＣＨ復調部
４２  ＨＳ−ＳＣＣＨ復調部
４３  受信制御部
４４  ＡＣＫ／ＮＡＣＫ選択部
４５  ＨＳ−ＤＰＣＣＨ送信制御部
５１  ＨＳ−ＤＰＣＣＨ送信部
５２  ＨＡＲＱ−ＡＣＫ記憶部
５３  ＡＣＫ／ＮＡＣＫ比較部
５４  ＨＳ−ＤＰＣＣＨ送信電力制御部
【図１】
2005051713.tif 000003
【図２】
2005051713.tif 000004
【図３】
2005051713.tif 000005
【図４】
2005051713.tif 000006
【図５】
2005051713.tif 000007
【図６】
2005051713.tif 000008
【図７】
2005051713.tif 000009
【図８】
2005051713.tif 000010
【図９】
2005051713.tif 000011